(57)【特許請求の範囲】
【請求項１】
座体、弾性ユニット、当接ユニットおよびキャップを備え、
前記座体は、少なくとも一つの第一差込部と、上に伸びて形成された作動部と、当該作動部から水平方向に突出する支持柱とを有し、前記支持柱は二つの相互に向かい合う外側翼形部から構成され、
前記弾性ユニットは、前記支持柱の中に格納され、一端が前記支持柱に突出し、
前記当接ユニットは、前記支持柱に装着され、前記支持柱に突出する前記弾性ユニットの一端に当接し、
前記キャップは、少なくとも一つの第二差込部と、上に伸びて形成された嵌合部と、当該嵌合部に形成された縦方向の嵌合孔とを有し、
前記キャップは、少なくとも一つの前記第二差込部と前記第一差込部とを相互に嵌め合わせることによって前記座体と結合し、前記嵌合部と前記作動部とを結合させることによって格納部を構成し、
前記格納部は、金属クリップを有することを特徴とするランプソケット。
【請求項２】
前記キャップの前記嵌合部は、貫通孔と、当該貫通孔に装着された回転ユニットとを有し、
前記回転ユニットは、前記嵌合孔と繋がる装着孔を有し、
前記回転ユニットは、前記当接ユニットに当接し、かつ前記当接ユニットによって押し出されることを特徴とする請求項１に記載のランプソケット。
【請求項３】
前記支持柱の前記外側翼形部は先端から外側に突出して形成されたストッパーを有し、
前記装着孔は、内縁部の両側に固定部を有し、
二つの前記固定部は、前記外側翼形部の先端の前記ストッパーの妨害を受けることによって固定され、かつ両側に誘導部を有し、
前記回転ユニットは、回転の際に前記誘導部によって前記外側翼形部の前記ストッパーと二つの前記固定部とを誘導し、前記ストッパーと前記固定部とを相互に当接させることを特徴とする請求項２に記載のランプソケット。
【請求項４】
前記当接ユニットは、円盤状を呈し、かつ前記外側翼形部に対応する二つの穿孔を有し、
前記穿孔は、前記外側翼形部の貫通に用いられることを特徴とする請求項１または請求項２に記載のランプソケット。
【発明の詳細な説明】
【技術分野】
【０００１】
本発明は、ランプソケットに関し、ランプの逸脱が起こりにくいランプソケットに関するものである。
【背景技術】
【０００２】
図１１に示すように特許文献１に開示されたランプソケット９１は、縦方向の装着孔９１０およびその内部に配置された金属クリップ９１１を備える。ランプを取り付ける際、ランプソケット９１の装着孔９１０にランプ９２の端子９２０を縦方向に沿って嵌め込み、端子９２０をランプソケット９１の装着孔９１０内に位置させる。続いて、ランプ９２を回して端子９２０を９０度回転させる。このとき端子９２０は金属クリップ９１１に挟まれ、かつ電気的に接続されるため、電源との電気的接続を達成し、ランプ９２を固定する効果を果たすことができる。
【先行技術文献】
【特許文献】
【０００３】
【特許文献１】台湾実用新案第Ｍ３９１０４２号明細書
【発明の概要】
【発明が解決しようとする課題】
【０００４】
金属クリップ９１１はランプ９２の端子９２０を横から挟むため、地震が発生したとき、ランプ９２が横方向に振動し、ランプ９２の端子９２０を金属クリップ９１１から逸脱させるとランプ９２が落下し、危険を招くような事態が起こりやすい。
【０００５】
本発明は、上述した問題点を解決するため、弾性ユニットの弾力によって突っ張る当接ユニットがランプホルダーに配置されるランプソケットを提供することを主な目的とする。
【課題を解決するための手段】
【０００６】
上述の目的を達成するために、本発明によるランプソケットは、座体、弾性ユニット、当接ユニットおよびキャップを備える。
座体は、少なくとも一つの第一差込部と、上に伸びて形成された作動部と、作動部から水平方向に突出する支持柱とを有し、支持柱は二つの相互に向かい合う外側翼形部から構成される。
弾性ユニットは、支持柱の中に格納され、一端が支持柱に突出する。
当接ユニットは、支持柱に装着され、支持柱に突出する弾性ユニットの一端に当接する。
【０００７】
キャップは、少なくとも一つの第二差込部と、上に伸びて形成された嵌合部と、嵌合部に形成された縦方向の嵌合孔とを有する。キャップは少なくとも一つの第二差込部と第一差込部とを相互に嵌め合わせることによって座体と結合し、嵌合部と作動部とを結合させることによって格納部を構成する。格納部は金属クリップを有する。
【０００８】
キャップの嵌合部は貫通孔と、貫通孔に装着された回転ユニットとを有する。回転ユニットは嵌合孔と繋がる装着孔を有する。回転ユニットは当接ユニットに当接し、かつ当接ユニットによって押し出される。支持柱の外側翼形部は先端から外側に突出して形成されたストッパーを有する。装着孔は内縁部の両側に固定部を有する。二つの固定部は外側翼形部の先端のストッパーの妨害を受けることによって固定され、かつ両側に誘導部を有する。回転ユニットは回転の際に誘導部によって外側翼形部のストッパーと二つの固定部とを誘導し、相互に当接させることができる。
当接ユニットは円盤状を呈し、かつ外側翼形部に対応する二つの穿孔を有し、穿孔は外側翼形部の貫通に用いられる。
【０００９】
本発明によるランプソケットにランプを取り付ける際、金属クリップによってランプを挟むことができるだけでなく当接ユニットによってランプを挟んで固定することができる。つまり日頃からランプソケットにランプを確実に安定させることができる。地震が発生したとき、弾性ユニットは当接ユニットを押し出すことによってランプの横方向に移動するような事態を抑制するため、ランプホルダー上のランプソケットからランプを逸脱させることを防止することができるだけでなく、ランプが落下して人を怪我させてしまうことを避けることができる。
【図面の簡単な説明】
【００１０】
【図１】本発明の第１実施形態によるランプソケットを示す分解斜視図である。
【図２】本発明の第１実施形態によるランプソケットを示す断面図である。
【図３】本発明の第１実施形態によるランプソケットの作動状態を示す模式図である。
【図４】本発明の第１実施形態によるランプソケットの作動状態を示す模式図である。
【図５】本発明の第２実施形態によるランプソケットを示す分解斜視図である。
【図６】本発明の第２実施形態によるランプソケットを示す断面図である。
【図７】本発明の第２実施形態によるランプソケットの作動状態を示す模式図である。
【図８】本発明の第２実施形態によるランプソケットの作動状態を示す断面図である。
【図９】本発明の第２実施形態によるランプソケットの作動状態を示す模式図である。
【図１０】本発明の第２実施形態によるランプソケットの応用状態を示す模式図である。
【図１１】従来のランプソケットの構造を示す斜視図である。
【発明を実施するための形態】
【００１１】
以下、本発明によるランプソケットを図面に基づいて説明する。
（第１実施形態）
図１から図４に示すように、本発明の第１実施形態によるランプソケットは、座体１、弾性ユニット２、当接ユニット３、キャップ４、格納部５および金属クリップ６を備える。
【００１２】
図１および図２に示すように、座体１は、底部の両側に形成された第一差込部１０と、上に伸びて形成された作動部１１と、作動部１１の先端に形成された別の第一差込部１０と、作動部１１から水平方向に突出する中空の支持柱１２とを有する。支持柱１２は二つの相互に向かい合う外側翼形部１２０から構成される。
弾性ユニット２は、支持柱１２の中、即ち二つの外側翼形部１２０の間に格納され、一端が支持柱１２の底部に当接し、他端が支持柱１２に突出する。
【００１３】
当接ユニット３は、円盤状を呈し、かつ外側翼形部１２０に対応する二つの穿孔３１を有する。穿孔３１は外側翼形部１２０の貫通に用いられる。一方、弾性ユニット２は支持柱１２の一端から突出し、当接ユニット３の底部に当接する。
【００１４】
キャップ４は、底部の両側に形成された第二差込部４０と、上に伸びて形成された嵌合部４１と、嵌合部４１の先端に形成された別の第二差込部４０と、嵌合部４１に形成された縦方向の嵌合孔４１０とを有する。キャップ４は底部の両側および嵌合部４１の先端に形成された第二差込部４０と座体１の第一差込部１０とを相互に嵌め合わせることによって座体１と結合し、かつ嵌合部４１と作動部１１とを結合させることによって格納部５を構成する。格納部５はチャンバーであり、内部に金属クリップ６を有する。金属クリップ６は嵌合孔４１０に対応する部分が嵌合孔４１０に露出する。一方、当接ユニット３は弾性ユニット２によって押され、かつ金属クリップ６の底部によって移動が制限される。
【００１５】
図３は、Ｔ字型部位が弾性ユニットと金属クリップとの間に挟まれ、固定される状態を示す模式図である。図４は、Ｔ字型部位を９０度回転させて固定する作動を示す模式図である。
図３に示すように、本発明の第１実施形態によるランプソケットに適用できるランプは、一端に連結されたＴ字型部位７０を有する。Ｔ字型部位７０はランプ７の端部から外側に突出して形成された後退部位７００と、後退部位７００から横に伸びて形成された突起部位７０１とを有する。第１実施形態によるランプソケットにランプ７を取り付ける際、嵌合孔４１０の一端にＴ字型部位７０を垂直に嵌め込み、かつ突起部位７０１によって当接ユニット３を内部に押し付ける。このときＴ字型部位７０の後退部位７００は嵌合孔４１０内の金属クリップ６に位置する。続いて図４に示すように、ランプ７を９０度回転させ、縦向きの突起部位７０１を横向きにする。このとき後退部位７００は金属クリップ６に挟まれる。突起部位７０１は格納部５内に格納され、当接ユニット３によって金属クリップ６の底部に当接することで金属クリップ６と当接ユニット３との間に挟まれ、固定される。地震が発生したとき、ランプ７はＴ字型部位７０が弾性ユニット２および金属クリップ６によって格納部５内に挟まれ、固定されるため、ランプ７のＴ字型部位７０をソケット内に確実に安定させ、かつランプ７が落下して人に怪我させてしまうような事態を避けることができる。
【００１６】
（第２実施形態）
図５から図１０に示したのは第２実施形態である。第１実施形態との違いは次の通りである。嵌合部４１の嵌合孔４１０は嵌合部４１の側辺縁部に形成される。嵌合部４１は軸方向に沿って形成された貫通孔４１１と、貫通孔４１１に装着された回転ユニット４２とを有する。回転ユニット４２は嵌合孔４１０と繋がるように垂直方向に伸びて形成された装着孔４２０を有する。回転ユニット４２は当接ユニット３に当接し、かつ当接ユニット３によって押し出される。
【００１７】
一方、支持柱１２の外側翼形部１２０は先端から外側に突出して形成されたストッパー１２１を有する。装着孔４２０は内縁部の両側に固定部４２１を有する。二つの固定部４２１は外側翼形部１２０の先端のストッパー１２１の妨害を受けることによって固定され、かつ両側に陥没状の誘導部４２２を有する。回転ユニット４２は回転の際に誘導部４２２によって外側翼形部１２０のストッパー１２１と二つの固定部４２１とを誘導し、相互に当接させることができる。回転ユニット４２は当接ユニット３によって押し出されるため、回転ユニット４２は押されると、キャップ４の嵌合部４１の方向に向いて後退する。回転ユニット４２は解放されると、当接ユニット３によって跳ね返り、復元する。
【００１８】
図７は、ランプの二つの端子を嵌合孔に縦に嵌め込む動作を示す模式図である。図８は、ランプの端部が回転ユニットを押し、後退させ、ランプの二つの端子が格納部に入り込む状態を示す模式図である。図９は、ランプの二つの端子を９０度回転させ、固定することによって二つの端子と金属クリップとを電気的に接続する動作を示す模式図である。図１０は、ランプがソケットの間に設けられている状態を示す模式図である。
【００１９】
図７に示すように、本発明の第２実施形態によるランプソケットにランプ８を取り付ける際、ランプ８の二つの端子８０を嵌合孔４１０から装着孔４２０に垂直に嵌め込める。図８に示すように、このときランプ８の両端面は相互に対応する回転ユニット４２に当接するため、回転ユニット４２はキャップ４の嵌合部４１の方向に沿って後退する。図９に示すように、続いてランプ８を回し、二つの端子８０によって回転ユニット４２を９０度回転させる。このとき二つの端子８０は格納部５内に金属クリップ６に挟まれ、電気的に接続される。
【００２０】
図１０に示すように、ランプ８の両端の側面は二つの回転ユニット４２の押し出す力によって押し付けられることでランプ８を両側から挟む効果を生じる。地震が発生したとき、ランプ８の両側は回転ユニット４２によって押し付けられ、二つのソケットの間に確実に安定するため、ランプホルダーが湾曲変形し、ソケットの間の距離を増大させてしまっても、ランプ８の両端の端子８０は回転ユニット４２の押し出す行程内に金属クリップ６に挟まれ、電気的に接続される。従ってランプ８が二つのソケットの間から落下して人に怪我させてしまうような事態を防止することができる。
【符号の説明】
【００２１】
１・・・座体、
２・・・弾性ユニット、
３・・・当接ユニット、
４・・・キャップ、
５・・・格納部、
６・・・金属クリップ、
７、８・・・ランプ、
１０・・・第一差込部、
１１・・・作動部、
１２・・・支持柱、
１２０・・・外側翼形部、
１２１・・・ストッパー、
３１・・・穿孔、
４０・・・第二差込部、
４１・・・嵌合部、
４１０・・・嵌合孔、
４１１・・・貫通孔、
４２・・・回転ユニット、
４２２・・・装着孔、
４２１・・・固定部、
４２２・・・誘導部、
７０・・・Ｔ字型部位、
７００・・・後退部位、
７０１・・・突起部位、
８０・・・端子。
【図１】
0005389979.tif 000002
【図２】
0005389979.tif 000003
【図３】
0005389979.tif 000004
【図４】
0005389979.tif 000005
【図５】
0005389979.tif 000006
【図６】
0005389979.tif 000007
【図７】
0005389979.tif 000008
【図８】
0005389979.tif 000009
【図９】
0005389979.tif 000010
【図１０】
0005389979.tif 000011
【図１１】
0005389979.tif 000012